【事件の表示】
　特願２００１−５６３５４３「パーソナルＴＶサービスへのインターネット・アクセスのためのシステム及び方法」拒絶査定不服審判事件〔平成１３年　９月　７日国際公開、ＷＯ０１／６５８６２、平成１５年　８月２６日国内公表、特表２００３−５２５５５０〕について、次のとおり審決する。
【結　論】
　本件審判の請求は、成り立たない。
【理　由】
第１．手続の経緯
　本願は、２００１年（平成１３年）２月２７日（パリ条約による優先権主張　２０００年（平成１２年）３月２日　アメリカ合衆国）の国際出願であって、平成２３年９月５日付けの拒絶査定に対し、平成２４年１月１２日に審判請求がなされると同時に手続補正がなされ、さらに、平成２４年１２月６日付けで当審により拒絶理由が通知され、平成２５年４月４日付けで手続補正がなされたものである。
　
第２．本願発明について
１．本願発明
　本願の請求項に係る発明は、平成２５年４月４日付けの手続補正により補正された特許請求の範囲の請求項１ないし２５に記載された事項により特定されるものであるところ、その請求項１に係る発明（以下、「本願発明」という）は、次のとおりのものである。
　
「メディア受信機が、複数のメディア・ストリームを記述するコンテンツ・データベースを保持するステップと、
　前記メディア受信機と携帯メディア再生装置が接続される際に、前記メディア受信機から前記携帯メディア再生装置に転送される１つ以上のメディア・ストリームを、前記複数のメディア・ストリームから明確に選択するユーザ入力を、前記メディア受信機が、受信するステップと、
　前記ユーザ入力を受信した後に、前記メディア受信機と前記携帯メディア再生装置が接続されると、
　　前記メディア受信機が、前記ユーザ入力に基づいて、前記メディア受信機から前記携帯メディア再生装置へ転送される少なくとも１つのメディア・ストリームを自動的に選択するステップと、
　　前記メディア受信機が、前記選択された少なくとも１つのメディア・ストリームを前記メディア受信機から前記携帯メディア再生装置に自動的に転送するステップとを
　備える方法。」
　
２．刊行物
（１）刊行物１の記載事項
　平成２４年１２月６日付けの拒絶理由で引用された本願の出願前に頒布された刊行物である特開平１１−３４６１６６号公報（以下、「刊行物１」という）には、次のア−カの事項が記載されている。
　
ア．「【０００１】
【発明の属する技術分野】本発明は、携帯視聴システムに関し、より特定的には、固定的または半固定的に据え置かれた本体装置で受信した番組データを、持ち運び可能な携帯装置に転送し、携帯装置側で番組データを再生してユーザに提供するような携帯視聴システムに関する。
【０００２】
【従来の技術】放送の多チャンネル化と通信による映像サービスの発展により、一般ユーザが受信可能な番組数は増大している。しかしながら、ユーザが１日の内で番組を視聴できる時間は限られており、視聴したい番組があっても必ずしも視聴することができないのが実情であった。
【０００３】そこで、最近、ユーザの様々な空き時間（昼休み時間、移動時間等）を利用して番組が視聴できるような携帯視聴システムが提案されている。従来の携帯視聴システムは、家庭内に据え置かれた本体装置と、持ち運び可能な携帯装置とで構成される。本体装置は、少なくとも、放送によって提供される番組データを受信する機能と、受信した番組データを内部に蓄積する機能と、蓄積された番組データを携帯装置に転送する機能とを備えている。」
　
イ．「【００６３】
【発明の実施の形態】（本システムの概略説明）以下に説明する各実施形態の携帯視聴システムは、家庭等に固定的または半固定的に据え置かれた本体装置と、持ち運び可能な携帯型の再生装置（以下、携帯装置と称す）とで構成される。本体装置は、少なくとも、放送（電波により送られてくる放送、有線の伝送路を介して送られてくる放送の両方を含む）によって提供される番組データを受信する機能（場合によっては、再生機能も含む）と、受信した番組データを内部に蓄積する機能と、蓄積した番組データを携帯装置にオンライン転送またはオフライン転送する機能とを備えている。選択された番組データをオンライン転送する場合、携帯装置は、本体装置に接続される。そして、携帯装置は、本体装置から転送されてきた番組データを内部に蓄積すると共に、蓄積した番組データをユーザが望む時間に再生する。一方、番組データをオフライン転送する場合、本体装置は、内部に蓄積した番組データを、一旦、記録メディア（ビデオテープ、書き換え可能な光ディスク、固体メモリカード等）に書き込む。そして、記録が終了した記録メディアは、本体装置から外されて、携帯装置にセットされる。従って、この場合、携帯装置は、セットされた記録メディアから所望の番組データを読み取って再生することになる。」
　
ウ．「【００６６】（第１の実施形態）図１は、本発明の第１の実施形態に係る携帯視聴システムの構成を示すブロック図である。図１において、本実施形態の携帯視聴システムは、本体装置１と、携帯装置２とを備えている。携帯装置２は、本体装置１に対して着脱自在に構成される。
【００６７】本体装置１は、アンテナ１０１と、受信部１０２と、多重分離部１０３と、付加情報生成部１０４と、蓄積情報生成部１０５と、蓄積管理部１０６と、蓄積部１０７と、接続インタフェース１０９と、ユーザ入出力部１１０と、デコーダ１１１と、メモリ１１２と、ＣＰＵ１１３とを含む。
【００６８】受信部１０２は、一般的なディジタル放送受信装置の構成要素であるチューナと復調器とを含み、アンテナ１０１で受けた放送波を受信して、ディジタルストリームを出力する。このディジタルストリームには、映像情報、音声情報、付加情報等が多重化されている。ディジタルストリームの具体的な形式としては、例えば、ＭＰＥＧ−２  ＴＳ（Ｔｒａｎｓｐｏｒｔ  Ｓｔｒｅａｍ）でよい。ただし、ＭＰＥＧ−２  ＴＳおよび、ＭＰＥＧ−２  ＴＳによる多重化は、国際規格であるＭＰＥＧ−２  Ｓｙｓｔｅｍｓによって規格標準化されている。
【００６９】多重分離部１０３は、例えばＴＳプロセッサ等で構成され、受信部１０２が出力するディジタルストリームを、映像情報、音声情報、付加情報等に分離する。ディジタルストリームがＭＰＥＧ−２  ＴＳである場合には、多重分離部１０３は、ディジタルストリームの最小単位であるＴＳパケットを、ＴＳパケットヘッダに書かれたパケットＩＤ（ｐｉｄ）の値に基づいて分類することで、多重化された映像情報、音声情報、付加情報等を分離する。
【００７０】付加情報生成部１０４は、多重分離部１０３によって分離されたディジタルストリーム中の情報のうち、付加情報に関するものを入力し、付加情報を生成する。この付加情報のフォーマットは、例えば、国際規格であるＤＶＢ−ＳＩで規定されるセクション形式をしている。ＤＶＢ−ＳＩでは、放送チャンネルに関する情報（ｐｉｄ等）や、ＥＰＧ（電子番組ガイド）に関する情報の伝送方法を、セクション形式に基づくデータ形式として定義している。例えば、ＥＰＧに関する情報は、ＥＩＴ（Ｅｖｅｎｔ  Ｉｎｆｏｒｍａｔｉｏｎ  Ｔａｂｌｅ）と呼ばれるセクション形式で伝送される。セクション形式の情報の伝送では、送りたい情報を一定サイズ以下に分割し、繰り返し伝送する。このため、付加情報生成部１０４は、分割された情報を収集して一つのデータにまとめるとともに、内容が変更されたら更新を行うなどの処理を行う。
【００７１】蓄積情報生成部１０５は、多重分離部１０３から入力される映像情報および音声情報を、蓄積部１０７へ蓄積するのに適した形式に変換し、蓄積管理部１０６に出力する。また、蓄積情報生成部１０５は、必要に応じて、重分離部１０３から入力した映像情報に基づき、詳細映像情報と、非詳細映像情報とを生成する。非詳細映像情報は、詳細映像情報よりも画質は落ちるが、データ量は少なくなっている。従って、非詳細映像情報の方が詳細映像情報よりも短時間で転送処理が完了する。
【００７２】蓄積情報生成部１０５において、詳細映像情報および非詳細映像情報の両方が生成される第１の場合は、ＣＰＵ１１３から蓄積情報生成部１０５に対して、非詳細映像情報を生成する旨の指示が与えられた場合である。この場合、蓄積情報生成部１０５は、多重分離部１０３から入力される映像情報を、そのまま詳細映像情報として出力する。また、蓄積情報生成部１０５は、多重分離部１０３から入力される映像情報の解像度を変更したり、間欠的にフレームを間引くことにより、非詳細映像情報生成して出力する。
【００７３】蓄積情報生成部１０５において、詳細映像情報および非詳細映像情報の両方が生成される第２の場合は、多重分離部１０３から入力される映像情報が、元々詳細映像情報と共に非詳細映像情報を含んでいる場合である。このような場合としては、受信した映像情報が、階層符号化されている場合や、階層伝送方式によって送られてきた場合等が考えられる。これらの場合、多重分離部１０３から入力される映像情報は、画質の異なる複数のレイヤを持つことになる。そして、上位レイヤほど符号量が多く、画質が良好なものとなる。この場合、蓄積情報生成部１０５は、最上位レイヤの映像情報を、そのまま詳細映像情報として出力する。また、蓄積情報生成部１０５は、下位レイヤの映像情報を、非詳細映像情報として出力する。各レイヤに対応する映像情報を生成する方法については、一般のディジタル放送受信機で用いられるレイヤ選択方法をそのまま用いることができる。
【００７４】蓄積情報生成部１０５は、上記の非詳細映像情報を、ダイジェスト映像のための映像情報として蓄積管理部１０６に出力する。従って、ＣＰＵ１１３は、蓄積部１０７に格納される非詳細映像情報を、ダイジェスト映像のための映像情報として管理することになる。なお、本実施形態では、映像のみについて詳細情報と非詳細情報とを生成するようにしているが、場合によっては、音声についても詳細情報と非詳細情報とを生成するようにしても良い。
【００７５】蓄積管理部１０６は、蓄積部１０７と相互に接続されており、ＣＰＵ１１３の制御下で蓄積部１０７に対する情報の書き込みおよび読み出しを制御する。蓄積部１０７は、ハードディスクを用いた記憶装置や、ＤＶＤ−ＲＡＭを用いた記憶装置等、比較的大容量の記憶装置で構成される。蓄積部１０７には、番組データが蓄積される。
【００７６】接続インタフェース１０９は、本体装置１に対する他の機器の物理的でかつ電気的な接続を可能にすると共に、映像・音声やその他のディジタル情報を他の機器との間で伝送するために用いられる。このような接続インタフェース１０９としては、ＩＥＥＥ１３９４のインタフェースなど、ディジタル情報の一般的な入出力インタフェースでよい。
【００７７】ユーザ入出力部１１０は、ユーザからの入力を受け付けたり、ユーザに対して機器の状態を提示したりする。このようなユーザ入出力部１１０は、一例として、赤外線リモコンとリモコン受光部、パイロットランプなどで構成される。ユーザへの情報提示は、デコーダ１１１から出力される映像情報に含まれるＯＳＤ（Ｏｎ  Ｓｃｒｅｅｎ  Ｄｉｓｐｌａｙ）を利用したＧＵＩ操作によっても行われる。この場合、ユーザは、ＯＳＤを見ながら、リモコンに設けられたボタンを押すなどして、蓄積した番組の再生や消去、録画予約、転送する番組の設定などの操作を行う。
【００７８】メモリ１１２には、本体装置１の動作に関する種々の情報が格納される。すなわち、メモリ１１２には、本体装置１の動作制御を実行するために用いられるプログラム情報、付加情報生成部１０４が出力する付加情報、蓄積部１０７に格納された情報の管理に用いる蓄積管理情報等が格納される。
【００７９】ＣＰＵ１１３は、本体装置１内の他の構成要素と相互に接続され、メモリ１１２に格納されるプログラム情報を実行することで、これらの構成要素を集中的に制御する。
【００８０】携帯装置２は、接続インタフェース２０１と、携帯視聴情報管理部２０２と、蓄積部２０３と、デコーダ２０４と、ディスプレイ２０５と、スピーカ２０６と、ユーザ入出力部２０７と、メモリ２０８と、ＣＰＵ２０９とを含む。
【００８１】接続インタフェース２０１は、本体装置１の接続インタフェース１０９と物理的かつ電気的に接続され、映像・音声やその他のディジタル情報を本体装置１から受け取るために用いられる。このような接続インタフェース２０１としては、ＩＥＥＥ１３９４のインタフェースなど、ディジタル情報の一般的な入出力インタフェースでよい。
【００８２】携帯視聴情報管理部２０２は、蓄積部２０３と相互に接続されている。蓄積部２０３は、ハードディスクを用いた記憶装置や、ＤＶＤ−ＲＡＭを用いた記憶装置や、固体メモリを用いた記憶装置等で構成されるが、携帯装置２に内蔵されるものであるため、小型化が要望される。この蓄積部２０３には、本体装置１から転送されてくる番組のデータが蓄積される。
【００８３】デコーダ２０４は、蓄積部２０３に蓄積された番組のデータを入力して、デコードすることにより、アナログの映像・音声信号に変換する。液晶表示装置や小型ＣＲＴディスプレイ等で構成されるディスプレイ２０５は、デコーダ２０４から出力されるアナログ映像信号を入力して対応する画像を表示する。スピーカ２０６は、デコーダ２０４から出力されるアナログ音声信号を入力して対応する音声を出力する。
【００８４】ユーザ入出力部２０７は、ユーザからの入力を受け付けたり、ユーザに対して機器の状態を提示したりする。このようなユーザ入出力部１１０は、一例として、赤外線リモコンとリモコン受光部、パイロットランプなどで構成される。ユーザへの情報提示は、ディスプレイ２０５に表示されるＯＳＤを利用したＧＵＩ操作によっても行われる。この場合、ユーザは、ＯＳＤを見ながら、リモコンに設けられたボタンを押すなどして、蓄積した番組の再生や消去、転送する番組の設定などの操作を行う。
【００８５】メモリ２０８には、携帯装置２の動作に関する種々の情報が格納される。すなわち、メモリ２０８には、携帯装置２の動作制御を実行するために用いられるプログラム情報、蓄積部２０３に格納された情報の管理に用いる蓄積管理情報等が格納される。
【００８６】ＣＰＵ２０９は、携帯装置２内の他の構成要素と相互に接続され、メモリ２０８に格納されるプログラム情報を実行することで、これらの構成要素を集中的に制御する。」
　
エ．「【０１４２】（第２の実施形態）図１４は、本発明の第２の実施形態に係る携帯視聴システムの物理的構成を示す外観斜視図である。また、図１５は、本発明の第２の実施形態に係る携帯視聴システムの電気的構成を示すブロック図である。図１４および図１５において、本体装置１は、処理部１ａと、充電部１ｂと、携帯装置２を乗せることができるクレードル（ゆりかご）状の箱（以下、クレードルと称す）１ｃとを備えている。また、携帯装置２は、処理部２ａと、バッテリ２ｂと、接続接点２ｃとを備えている。処理部１ａは、図１に示す本体装置１と同様の構成を有している。また、処理部２ａは、図１に示す携帯装置２と同様の構成を有している。
【０１４３】クレードル１ｃに携帯装置２を乗せることによって、携帯装置２は接続接点２ｃを介して本体装置１と電気的に接続される。また、この間、接続接点２ｃを通じて本体装置１に含まれる充電部１ｂにより、携帯装置２に含まれるバッテリ２ｂが充電される。携帯装置２は、比較的消費電力が大きいため、バッテリ２ｂとしては、充電可能ないわゆる２次電池を用いるのが一般的である。このため、例えば毎日定期的にバッテリ２ｂを充電する必要があり、そのために、携帯装置２を何らかの充電器に物理的に接続することは必要不可欠な作業である。第２の実施形態によれば、いずれにせよ必要となる充電のための物理的接続を行う際に、番組などの情報を同時に転送することができる利点がある。このため、転送のために新たな接続作業を行う必要がなく、利便性が大幅に向上する。」
　
オ．「【０１５０】なお、以上説明した各実施形態では、本体装置１に蓄積された全ての番組のデータを携帯装置２に転送するようにしているが、本体装置１に蓄積された番組のデータの中からユーザによって選択された番組のデータのみを携帯装置２に転送するようにしても良い。この場合、本体装置１から携帯装置２対して予めＥＰＧ（電子番組ガイド）データを転送しておき、携帯装置２において、ユーザが番組ガイドを見ながら暇な時間に本体装置１から受け取りたい番組データを前もって指定おくこともできる。すなわち、本体装置１は、携帯装置２が装着されたとき、携帯装置２で前もって指定された番組を認識し、該当する番組のデータのみを携帯装置２に転送する。」
　
カ．「【図１４】
　
　　　　　　　　　　　　　　　　　　　　　　　　　　　　　　　　　　　　　　　　　　　　　　　　　　　　　　　　　　　　　　　　　　」
　
（２）刊行物１発明
　以上の記載から、刊行物１には、次の発明（以下、「刊行物１発明」という）が記載されているといえる。
　
「本体装置が、放送によって提供される番組データを受信して蓄積部に蓄積し、
　本体装置と携帯装置が接続され、本体装置に蓄積された番組のデータの中からユーザによって選択された番組のデータのみを携帯装置に転送するようにし、
　携帯装置は、本体装置から転送されてくる番組のデータをデコードして、画像をディスプレイに表示し、音声をスピーカで出力し、
　本体装置と携帯装置とは着脱自在に構成され、
　クレードルに携帯装置を乗せることにより携帯装置は本体装置と電気的に接続され番組などの情報を転送することができるデータ転送方法。」
　
（３）刊行物２の記載事項
　平成２４年１２月６日付けの拒絶理由で引用された本願の出願前に頒布された刊行物である「大橋　源一郎，あなたのライフスタイルを変える「携帯情報端末」実践活用術，日経ＰＣ２１　第４巻　第８号　ｐ．８５−ｐ．１０５，日経ＢＰ社，１９９９年８月１日発行」（以下、「刊行物２」という）には、次の事項が記載されている。
　
「
　
　　　　　　　　　　　　　　　　　　　　　　　　　　　　　　　　　」
　
３．対比
　本願発明と刊行物１発明とを対比する。
　
（１）「メディア受信機が、複数のメディア・ストリームを記述するコンテンツ・データベースを保持するステップ」
　
　刊行物１発明の本体装置は、放送によって提供される番組データを受信するものであるから、「メディア受信機」といえ、該本体装置は、受信した番組データ（本願発明の「複数のメディア・ストリーム」に相当）を蓄積部（本願発明の「コンテンツ・データベース」に相当）に蓄積するから、「複数のメディア・ストリームを記述するコンテンツ・データベースを保持するステップ」を備えるといえる。
　したがって、本願発明と刊行物１発明とは、「メディア受信機が、複数のメディア・ストリームを記述するコンテンツ・データベースを保持するステップ」を備える点で一致する。
　
（２）「前記メディア受信機と携帯メディア再生装置が接続される際に、前記メディア受信機から前記携帯メディア再生装置に転送される１つ以上のメディア・ストリームを、前記複数のメディア・ストリームから明確に選択するユーザ入力を、前記メディア受信機が、受信するステップ」
　
　刊行物１発明は、本体装置と携帯装置が接続されるものであり、該本体装置は上記（１）で述べたように「メディア受信機」といえ、該携帯装置は、本体装置から転送されてくる番組のデータをデコードして、画像をディスプレイに表示し、音声をスピーカで出力するから、「携帯メディア再生装置」といえる。
　したがって、本願発明と刊行物１発明とは、「前記メディア受信機と携帯メディア再生装置が接続され」る点で共通する。
　
　刊行物１発明は、本体装置に蓄積された番組のデータの中からユーザによって選択された番組のデータのみを携帯装置に転送するものであるから、「前記メディア受信機から前記携帯メディア再生装置に転送される１つ以上のメディア・ストリームを、前記複数のメディア・ストリームから明確に選択する」ものであるといえ、この選択はユーザが行うのであり、ユーザが装置に対して選択を行うことは、装置がユーザによる選択の入力を受信すると言い替えられるから、刊行物１発明は、「ユーザ入力を受信するステップ」を備えるといえる。
　
　したがって、本願発明と刊行物１発明とは、「前記メディア受信機と携帯メディア再生装置が接続され、前記メディア受信機から前記携帯メディア再生装置に転送される１つ以上のメディア・ストリームを、前記複数のメディア・ストリームから明確に選択するユーザ入力を、受信するステップ」を備える点では共通している。
　ただし、本願発明では、メディア・ストリームは、前記メディア受信機と携帯メディア再生装置が「接続される際に、」転送されるのに対し、刊行物１発明では、転送されるタイミングはそのように特定されていない点、及び、本願発明では、転送されるメディア・ストリームを明確に選択するユーザ入力を、「前記メディア受信機が、」受信するのに対し、刊行物１発明では、転送される番組データのユーザによる選択が本体装置においてなされるかどうか（ユーザによる選択の入力を受信するのが本体装置かどうか）は明らかではない点で、それぞれ、両者は相違する（相違点１、相違点２）。
　
（３）「前記ユーザ入力を受信した後に、前記メディア受信機と前記携帯メディア再生装置が接続されると、
　　前記メディア受信機が、前記ユーザ入力に基づいて、前記メディア受信機から前記携帯メディア再生装置へ転送される少なくとも１つのメディア・ストリームを自動的に選択するステップと、
　　前記メディア受信機が、前記選択された少なくとも１つのメディア・ストリームを前記メディア受信機から前記携帯メディア再生装置に自動的に転送するステップ」
　
　上記（２）で述べたように、本願発明と刊行物１発明とは、「前記メディア受信機と携帯メディア再生装置が接続され」る点で共通する。
　
　刊行物１発明は、本体装置に蓄積された番組のデータの中からユーザによって選択された番組のデータのみを携帯装置に転送するのであるから、本体装置は、転送する番組データをユーザの選択（の入力）に基づいて選択しているといえる。
　したがって、本願発明と刊行物１発明とは、「前記メディア受信機が、前記ユーザ入力に基づいて、前記メディア受信機から前記携帯メディア再生装置へ転送される少なくとも１つのメディア・ストリームを選択するステップ」を備える点で共通する。また、両者は、「前記メディア受信機が、前記選択された少なくとも１つのメディア・ストリームを前記メディア受信機から前記携帯メディア再生装置に転送するステップ」を備える点で共通する。
　しかしながら、ユーザ入力に基づいてメディア・ストリームを選択するステップと、選択されたメディア・ストリームを転送するステップが、本願発明では、「前記ユーザ入力を受信した後に、」前記メディア受信機と前記携帯メディア再生装置が「接続されると」、「自動的に」選択、転送するものであるに対し、刊行物１発明では、選択、転送するタイミングはそのように特定されていない点で、両者は相違する（相違点３）。
　
　以上をまとめると、本願発明と刊行物１発明の一致点、相違点は次のとおりである。
　
［一致点］
　メディア受信機が、複数のメディア・ストリームを記述するコンテンツ・データベースを保持するステップと、
　前記メディア受信機と携帯メディア再生装置が接続され、前記メディア受信機から前記携帯メディア再生装置に転送される１つ以上のメディア・ストリームを、前記複数のメディア・ストリームから明確に選択するユーザ入力を、受信するステップと、
　前記メディア受信機と前記携帯メディア再生装置が接続され、
　　前記メディア受信機が、前記ユーザ入力に基づいて、前記メディア受信機から前記携帯メディア再生装置へ転送される少なくとも１つのメディア・ストリームを選択するステップと、
　　前記メディア受信機が、前記選択された少なくとも１つのメディア・ストリームを前記メディア受信機から前記携帯メディア再生装置に転送するステップとを
　備える方法。
　
［相違点１］
　本願発明では、メディア・ストリームは、前記メディア受信機と携帯メディア再生装置が「接続される際に、」転送されるのに対し、刊行物１発明では、転送されるタイミングはそのように特定されていない点。
　
［相違点２］
　本願発明では、転送されるメディア・ストリームを明確に選択するユーザ入力を、「前記メディア受信機が、」受信するのに対し、刊行物１発明では、転送される番組データのユーザによる選択が本体装置においてなされるかどうか（ユーザによる選択の入力を受信するのが本体装置かどうか）は明らかではない点。
　
［相違点３］
　ユーザ入力に基づいてメディア・ストリームを選択するステップと、選択されたメディア・ストリームを転送するステップが、本願発明では、「前記ユーザ入力を受信した後に、」前記メディア受信機と前記携帯メディア再生装置が「接続されると」、「自動的に」選択、転送するものであるに対し、刊行物１発明では、選択、転送するタイミングはそのように特定されていない点。
　
４．当審の判断
　上記各相違点について検討する。
（１）相違点１、相違点３について
　これらの２つの相違点は、メディア・ストリームの転送タイミングに関する本質的に同じ相違点を含むものであるから、併せて検討する。
　
　刊行物２には、次のア−カの事項が記載されている。
　
ア．ＰＤＡの使い方として、パソコンなどからあらかじめ情報をＰＤＡ（携帯情報端末）に移しておき、移動先で閲覧・確認することが考えられる。（第８６頁第１段、第２段）
イ．パソコンとＰＤＡをクレードルを介して接続しデータをやり取りする。（第８８頁第３段、第４段）
ウ．ＰＤＡの１つであるカシオペアＥ５００（商品名）では、ファイル、メッセージ、仕事、予定、連絡先などのどの項目をパソコンのデータと同期させるかを選択する。この設定はあとで変更することもできる。（第８９頁図１１）
エ．同期とは、パソコンとＰＤＡ双方のデータを比較し、一方に更新されたデータがあればそれをもう一方に反映することである。（第９０頁第１段）
オ．ＰＤＡの１つであるカシオペアＥ５００（商品名）では、クレードルにＰＤＡ本体を置くだけでパソコンとデータを同期できる。（第９２頁第２段、第３段）
カ．ＰＤＡの１つであるカシオペアＥ５００（商品名）は、映像、音声の再生機能を強化し、動画の表示ソフトやＭＰ３で圧縮された音声ファイルを再生するソフトも付属する。（第１０３頁右上）
　
　上記オ．の記載から、ＰＤＡの１つであるカシオペアＥ５００（商品名）は、パソコンなどにＰＤＡを接続すると、自動的に同期が行われるものであるといえる。
　上記ウ．オ．の記載から、同期のためにクレードルにＰＤＡ本体を置くのが、同期させるデータの項目を設定した後であるのは明らかである。
　上記ウ．エ．オ．の記載から、同期は、例えば、パソコンのデータが更新されると、ユーザが設定した項目の更新されたデータを自動的に選択してパソコンからＰＤＡに転送するものであるといえる。
　
　したがって、刊行物２には、同期させるデータの項目を設定した後、パソコンなどと接続したクレードルにＰＤＡを置いてＰＤＡをパソコンなどと接続すると、自動的に、設定した項目の更新されたデータを選択してパソコンからＰＤＡに転送するデータ転送方法が記載されているということができる。
　
　一方、刊行物１発明は、番組データを持ち運び可能として再生するために、本体装置から携帯装置に番組データを転送するもの（【０００１】を参照）であり、このような携帯装置として、クレードルにより本体装置と接続可能な【図１４】に２として図示されているようなものが想定されている。
　他方、動画や音声ファイルを持ち運び、移動先で再生可能なＰＤＡ（携帯情報端末）は、刊行物２に記載されているように知られたものである（上記ア．カ．を参照）から、刊行物１発明において、番組データを持ち運び可能として再生するための【図１４】に２として図示されているような携帯装置として、刊行物２に記載されたようなＰＤＡ（携帯情報端末）を用いようとすることは当業者が容易に想到し得ることである。
　また、刊行物１には、「携帯装置２において、ユーザが番組ガイドを見ながら暇な時間に本体装置１から受け取りたい番組データを前もって指定おくこともできる。」（【１５０】を参照）と記載されている。この記載は、携帯装置２においてのユーザ指定に関するものではあるが、指定する場所に拘わらず、本体装置から携帯装置に転送する番組データのユーザ指定をした後、本体装置から携帯装置に転送することについて、刊行物１には示唆があると考えられる。
　さらに、刊行物２には、パソコンなどからＰＤＡにデータを転送する方法として、上記したように、同期させるデータの項目を設定（本願発明でいう「ユーザ入力の受信」）したあと、パソコンなどと接続したクレードルにＰＤＡを置いてＰＤＡをパソコンなどと接続すると、自動的に、設定した項目の更新されたデータを選択してパソコンからＰＤＡに転送するデータ転送方法が記載されている。
　したがって、刊行物１発明において、携帯装置として、刊行物２に記載されたようなＰＤＡを用い、その際に、メディア受信機から携帯メディア再生装置へのデータ転送に、刊行物２のデータ転送方法を適用して、ユーザ入力を受信した後に、メディア受信機と携帯メディア再生装置が接続されると、自動的にユーザ入力に基づいてメディア・ストリームを選択し、転送する（したがって、メディア・ストリームは、メディア受信機と携帯メディア再生装置が接続される際に転送される）構成とすることは、当業者が容易に想到し得ることである。
　
（２）相違点２について
　刊行物１には、転送される番組データのユーザによる選択について、以下のように記載されている（上記２．（１）オ）。
　
「なお、以上説明した各実施形態では、本体装置１に蓄積された全ての番組のデータを携帯装置２に転送するようにしているが、本体装置１に蓄積された番組のデータの中からユーザによって選択された番組のデータのみを携帯装置２に転送するようにしても良い。この場合、本体装置１から携帯装置２対して予めＥＰＧ（電子番組ガイド）データを転送しておき、携帯装置２において、ユーザが番組ガイドを見ながら暇な時間に本体装置１から受け取りたい番組データを前もって指定おくこともできる。すなわち、本体装置１は、携帯装置２が装着されたとき、携帯装置２で前もって指定された番組を認識し、該当する番組のデータのみを携帯装置２に転送する。」
　
　「本体装置１に蓄積された番組のデータの中からユーザによって選択された番組のデータ」との記載をみても、番組データをユーザがどこで選択されるのかは明確には理解できない。また、「携帯装置２において、ユーザが番組ガイドを見ながら暇な時間に本体装置１から受け取りたい番組データを前もって指定おくこともできる。」との記載をみると、ユーザが携帯装置２において番組データを選択することもできることが理解できる。
　しかしながら、携帯装置２において選択すること
も
　したがって、刊行物１発明において、ユーザが番組データを選択しようとするときに、番組データが蓄積されている本体装置において、番組データの選択を行うこと、すなわち、転送されるメディア・ストリームを明確に選択するユーザ入力を、「前記メディア受信機が、」受信するようにすることは、刊行物１の上記記載から当業者が容易に想到し得ることである。
　
（３）まとめ
　以上の相違点１ないし３を併せて考察しても格別のものははなく、本願発明の効果も当業者が予測し得る範囲内のものである。
　よって、本願発明は、刊行物１に記載された発明、及び、刊行物２に記載された技術に基づいて当業者が容易に発明をすることができたものである。
　
第３．むすび
　以上のとおりであるから、本願の請求項１に係る発明は、特許法第２９条第２項の規定により特許を受けることができない。
　したがって、本願は、その余の請求項２ないし２５について論及するまでもなく、拒絶すべきものである。
　よって、結論のとおり審決する。